(57)【要約】【課題】多様な方式で暗号化された多数のＭＰＴＳを提供し得る放送通信融合システムで、使用者が一つのセットトップボックスで契約した全ＭＰＴＳを視聴できる複合スクランブル解除装置を提供する。【解決手段】複合スクランブル解除装置は、ＭＰＴＳを受信してＰＩＤ情報を制御部３３に伝送する放送受信部３１と、放送受信部からＭＰＴＳを受信してスクランブルされたＭＰＴＳとスクランブルされていないＭＰＴＳをスイッチングするスイッチ３２と、スイッチングされたＭＰＴＳのうち、スクランブルされたＭＰＴＳを逆スクランブルする多数の逆スクランブラー３４−１，３４−２と、放送受信部からＰＩＤ情報を受信して逆スクランブルを必要とするＭＰＴＳが逆スクランブラーにスイッチングされるようにスイッチを制御する制御部３３と、を備えたことを特徴とする。【選択図】  図３
2004350274.tif 000002
【特許請求の範囲】
【請求項１】
放送通信融合システムでスクランブル化された多数のデジタル放送ストリームを受信して逆スクランブルし、加入者に伝送するための複合スクランブル解除装置であって、
外部からＭＰＴＳ（Multi-Program Transport Stream）を受信して該ＭＰＴＳのＰＩＤ（Program ID）情報を制御部に伝送する放送受信部と、
前記放送受信部から前記ＭＰＴＳを受信してスクランブルされた前記ＭＰＴＳとスクランブルされていない前記ＭＰＴＳをスイッチングして出力するスイッチと、
前記スイッチを通じてスイッチングされた前記ＭＰＴＳのうち、スクランブルされた前記ＭＰＴＳを逆スクランブルして出力する多数の逆スクランブラーと、
前記放送受信部から前記ＰＩＤ情報を受信して逆スクランブルを必要とする前記ＭＰＴＳが前記逆スクランブラーにスイッチングされるように前記スイッチを制御する制御部と、を備えたことを特徴とする複合スクランブル解除装置。
【請求項２】
制御部は、スイッチを制御するために、放送受信部から受信されるＰＩＤ情報と、前記スイッチに連結された逆スクランブラーのＭＡＣ（Media Access Control）アドレス及び前記スイッチの該当出力ポートとで構成されたチャンネル／逆スクランブラーテーブルを使用する請求項１に記載の複合スクランブル解除装置。
【請求項３】
放送受信部は、外部からＭＰＴＳを受信してスイッチに出力し、該受信されたＭＰＴＳのＰＩＤ情報を抽出して制御部に伝送する請求項１又は請求項２に記載の複合スクランブル解除装置。
【請求項４】
多数の逆スクランブラーは、受信されたＭＰＴＳのうち、スクランブルされた前記ＭＰＴＳにそれぞれ対応する逆スクランブラーである請求項１又は請求項２に記載の複合スクランブル解除装置。
【請求項５】
スイッチは、制御部の制御に応じて、受信されたＭＰＴＳのうち、スクランブルされた前記ＭＰＴＳをそれぞれ対応する逆スクランブラーに連結し、スクランブルされていない前記ＭＰＴＳは入力順序に応じて出力されるようにスイッチングする請求項４に記載の複合スクランブル解除装置。
【請求項６】
放送通信融合システムが適用された光加入者網において、
多数の放送事業者から伝えられた各々のＭＰＴＳを受信してＭＰＴＳのスクランブルを解除して伝送する複合スクランブル解除器と、前記複合スクランブル解除器から出力されたＭＰＴＳを受信して電／光変換する電／光変換器と、前記電／光変換されたＭＰＴＳを一つの光信号に多重化するＷＤＭ（wavelength division multiplex）多重化器と、前記多重化された一つの光信号を伝送する光伝送部とを有するＯＬＴ（Optical Line Terminal）、及び、
前記ＯＬＴから伝えられた光信号を波長分割逆多重化して光電変換し、該光電変換されたＭＰＴＳを加入者別にスイッチングするＯＮＵ（Optical Network Unit）を備え、スクランブル化された多数のデジタル放送ストリームに対する複合スクランブル解除機能を適用したことを特徴とする光加入者網。
【請求項７】
複合スクランブル解除器は、
多数の放送事業者から伝えられた各々のＭＰＴＳを受信して該ＭＰＴＳのＰＩＤ情報を抽出する放送受信部と、
前記放送受信部から前記ＭＰＴＳを受信してスクランブルされた前記ＭＰＴＳとスクランブルされていない前記ＭＰＴＳとをスイッチングして出力するスイッチと、
前記スイッチを通じてスイッチングされた前記ＭＰＴＳのうち、スクランブルされた前記ＭＰＴＳを逆スクランブルして出力する多数の逆スクランブラーと、
前記放送受信部から前記ＰＩＤ情報を受信して逆スクランブルを必要とする前記ＭＰＴＳが前記逆スクランブラーにスイッチングされるように前記スイッチを制御する制御部と、を備えてＭＰＴＳのスクランブルを解除して伝送する請求項６に記載の光加入者網。
【請求項８】
放送通信融合システムが適用された光加入者網において、
多数の放送事業者から伝えられた各々のＭＰＴＳを受信して電／光変換し、一つの光信号に多重化して伝送するＯＬＴ、及び、
前記ＯＬＴから伝えられた光信号を波長分割逆多重化するＷＤＭ逆多重化器と、前記波長分割逆多重化された光信号をそれぞれ光電変換する光電変換器と、前記光電変換されたＭＰＴＳを受信して該ＭＰＴＳのスクランブルを除去して伝送する複合スクランブル解除器と、前記複合スクランブル解除器から出力されたＭＰＴＳを受信して加入者別にスイッチングして出力する第１スイッチと、加入者からチャンネル選択情報を受信して前記第１スイッチの入力ＭＰＴＳの該当チャンネルと前記加入者が連結されるように前記第１スイッチを制御する第１制御部と、を有するＯＮＵを備え、スクランブル化された多数のデジタル放送ストリームに対する複合スクランブル解除機能を適用したことを特徴とする光加入者網。
【請求項９】
複合スクランブル解除器は、
光電変換器で光電変換されたＭＰＴＳを受信してそのＭＰＴＳのＰＩＤ情報を制御部に伝送する放送受信部と、
前記放送受信部から前記ＭＰＴＳを受信してスクランブルされた前記ＭＰＴＳとスクランブルされていない前記ＭＰＴＳとをスイッチングして出力する第２スイッチと、
前記第２スイッチを通じてスイッチングされた前記ＭＰＴＳのうち、スクランブルされた前記ＭＰＴＳを逆スクランブルして出力する多数の逆スクランブラーと、
前記放送受信部から前記ＰＩＤ情報を受信して逆スクランブルを必要とする前記ＭＰＴＳが前記逆スクランブラーにスイッチングされるように前記第２スイッチを制御する第２制御部と、を備えてＭＰＴＳのスクランブルを解除して伝送する請求項８に記載の光加入者網。
【請求項１０】
放送通信融合システムでスクランブル化された多数のデジタル放送ストリームを受信して逆スクランブルし、加入者に伝送するための複合スクランブル解除方法であって、
放送受信部からＰＩＤ情報を受信する制御部を構成する過程と、
前記放送受信部により外部からスクランブルされたＭＰＴＳとスクランブルされていないＭＰＴＳの両方を含む多数のＭＰＴＳを受信する過程と、
前記制御部に各々の前記ＭＰＴＳに対するＰＩＤ情報を伝える過程と、
前記放送受信部から前記ＭＰＴＳを受信してスクランブルされた前記ＭＰＴＳとスクランブルされていない前記ＭＰＴＳとをスイッチを通じてスイッチングする過程と、
前記スイッチングされた前記ＭＰＴＳのうち、スクランブルされた前記ＭＰＴＳを多数の逆スクランブラーを通じて逆スクランブルする過程と、を含み、
前記制御部が、前記放送受信部から前記ＰＩＤ情報を受信して逆スクランブルを必要とする前記ＭＰＴＳが前記逆スクランブラーにスイッチングされるように前記スイッチを制御することを特徴とする複合スクランブル解除方法。
【請求項１１】
制御部は、スイッチを制御するために、放送受信部から受信されたＭＰＴＳのＰＩＤ情報と、前記スイッチに連結された逆スクランブラーのＭＡＣアドレス及び前記スイッチの該当出力ポートとで構成されたチャンネル／逆スクランブラーテーブルを使用する請求項１０に記載の複合スクランブル解除方法。
【請求項１２】
放送受信部は、外部からＭＰＴＳを受信してスイッチに出力し、前記受信されたＭＰＴＳのＰＩＤ情報を抽出して制御部に伝送する請求項１０又は請求項１１に記載の複合スクランブル解除方法。
【請求項１３】
多数の逆スクランブラーは、受信されたＭＰＴＳのうち、スクランブルされた前記ＭＰＴＳにそれぞれ対応する逆スクランブラーである請求項１０又は請求項１１に記載の複合スクランブル解除方法。
【請求項１４】
スイッチは、制御部の制御に応じて、受信されたＭＰＴＳのうち、スクランブルされた前記ＭＰＴＳをそれぞれ対応する逆スクランブラーに連結し、スクランブルされていない前記ＭＰＴＳは入力順序に応じて出力されるようにスイッチングする請求項１３に記載の複合スクランブル解除方法。
【発明の詳細な説明】
【技術分野】
【０００１】
本発明は放送通信融合システムで、各種の方式で暗号化されたＣＡＳ（Conditional Access System）放送をサービスするための装置及び方法に関する。
【背景技術】
【０００２】
衛星やケーブル放送の場合、ケーブル又は衛星を通じたブロードキャスティング方式により加入者にすべての放送コンテンツが提供されるので、事業者は課金及びコンテンツの保護のためにストリームを暗号化して伝送する制限受信システム（ＣＡＳ）放送を行っている。このようなＣＡＳ放送の従来例としてケーブルＴＶ網を検討する。これは衛星放送などでも同様に適用される。図１は従来の技術によるケーブルＴＶ網の一例の構成図である。
【０００３】
図１に示したように、各々の放送事業者１１-１，１１-２から放送コンテンツを提供されたケーブルＴＶ事業者１２は、すべての放送コンテンツを一つのＨＦＣ（hybrid fiber coaxial）網を通じて伝える。したがって、加入者１３にはすべての放送コンテンツが伝えられる。しかし、有料放送チャンネルを送信する放送事業者の場合は問題が発生する。なぜならば、すべての加入者にすべての放送コンテンツが伝えられるので、お金を払わない加入者の視聴を禁止する必要があるためである。
【０００４】
まず、有料放送サービスについて説明すると、有料放送サービスは放送事業者１１-１，１１-２の受益モデルとして最も重要な機能であり、これを通じて放送事業者１１-１，１１-２は、個別コンテンツ供給者が様々な形態のサービスを供給できる環境を提供することができる。このような有料放送サービスの保護のために、各々の放送チャンネルを区分して伝送できないケーブル網などにおいて有料放送サービスを具現できるように、放送事業者１１-１，１１-２で伝送する放送信号を暗号化して伝送し、これを許諾された加入者１３のみが視聴できるようにする制限受信システム（ＣＡＳ）を使用している。通常、ＣＡＳは放送事業者１１-１，１１-２がサービスを利用する加入者１３に直接使用料を請求するための手段であり、ＣＡＳ内蔵受信機（ＣＡＳ内臓ＳＴＢ（Set Top Box））が放送事業者１１-１，１１-２の加入者管理装置として提供される。
【０００５】
一般に放送における加入者管理が要求されるサービスは、有料チャンネル、ＰＰＶ（Pay Per View）及び付加サービスの三種に分けられる。有料チャンネルは受信申請されたチャンネルを所定の受信料を取り立てて放送を受信可能にするサービスであり、ＰＰＶ（Pay Per View）はプログラム当たりの受信料を受信時間で計算して請求するサービスであり、付加サービスはプログラム受信料のみならず、そのプログラムで提供される他のサービスの利用金額を取り立てるサービスをいう。したがって、ＣＡＳで考慮すべき事項は前記三種のサービスをそれぞれ管理運営することである。
【０００６】
このためにＣＡＳは、各ＳＴＢに固有の暗号（Key）又はアドレスを与え、その固有暗号を放送信号に含まれた特定の暗号とともに暗号解読装置に入れて特定の計算方法で新たな暗号を探す。この新たな暗号を通じて、送信側で受信を妨げるためにスクランブラーでスクランブルされた放送信号を元の信号に再生可能にする。
【０００７】
かかるＣＡＳは各放送事業者１１-１，１１-２ごとに独自の暗号化と加入者管理方式を使用することができ、世界的にも数多い制限受信システム方式が存在している。これにより、放送事業者１１-１，１１-２ごとに相異なるＳＴＢ１３-１，１３-２，１３-３を使用せざるを得ず、場合によっては同一地域で多数のデジタルケーブル放送を受信するために加入者１３は多数のＳＴＢ１３-１，１３-２，１３-３を備えなければならない問題点がある。
【０００８】
さらに、ＳＴＢ製造業者は放送事業者１１-１，１１-２にＯＥＭ方式でＳＴＢを供給するか、オープンマーケット（open market）で販売しても放送事業者１１-１，１１-２にロイヤルティーを支払うべきであり、その市場が制限的なので一般ＴＶや家電製品のように消費者の好みに合う多様な形態のＳＴＢを生産することができない。
【０００９】
一方、急激な伝送網の発展に応じて現在は、通信においてＡ／ＰＯＮ（active／passive optical network）方式の光加入者網の使用が一般的な傾向になっている。特に、Ａ／ＰＯＮ方式の光加入者網では、放送と通信融合のための放送通信融合システムに対する研究が活発に行われている。このような放送通信融合システムにおける放送は、従来の全体チャンネルを加入者まで伝送する放送方式ではなく、ＯＬＴやＯＮＵでスイッチングを通じて所望のチャンネル情報を選択し、所望の加入者に連結する放送方式を有する。したがって、光加入者網を用いた放送融合システムでは、有料放送サービスなどのための暗号化／復号化方法に対する新たな研究が必要である。
【００１０】
図２はＣＡＳが適用された光加入者網を用いた放送通信融合システムの従来例の構成図である。
【００１１】
図２に示したように、従来のＣＡＳが適用された光加入者網を用いた放送通信融合システムは、放送コンテンツを提供する放送事業者１１-１，１１-２と、放送事業者１１-１，１１-２及び通信事業者から伝えられた放送信号と通信信号とを受信して電光変換した後、一つの光信号に束ねて伝送するため、加入者１３とサービスノードとの間に位置するサブシステムであるＯＬＴ（Optical Line Terminal）２１と、ＯＬＴ２１からの受信情報を加入者１３に伝えるＯＮＵ（Optical Network Unit）２２と、 伝えられた放送を視聴する加入者１３とを含む。
【００１２】
より詳しくは、有料放送などのサービスのために加入者を管理する放送事業者１１-１，１１-２は、相異なる方式で各々の放送コンテンツを暗号化してＯＬＴ２１に伝える。そして、ＯＬＴ２１は伝送された放送信号を一つの光信号に束ねて伝える（通信信号も含まれるが、本発明では通信信号に対する部分は説明を省略する）。継いで、ＯＮＵ２２はＯＬＴ２１から一つの光信号で伝えられた全体放送信号を受信した後、各々の加入者１３からの好みチャンネル情報に基づいて加入者別に受信信号をスイッチングして伝える。加入者１３は、ＯＮＵ２２から伝えられた信号を受信して復号化に必要なＳＴＢ１３-１，１３-２、１３-３で復号化（decryption）して該当放送を視聴する。
【００１３】
しかし、かかる放送通信融合システムは、従来のケーブル網や衛星通信網とは伝送において大きな差異が存在するので、このような暗号化／復号化方法の適用が困難である。
【００１４】
すなわち、放送通信融合システムのＯＮＵ２２で提供するデジタル放送データであるＭＰＴＳ（Multi-Program Transport Stream）は、放送事業者１１-１，１１-２に応じて相異なる方式で暗号化された伝送ストリームなので、加入者１３がＭＰＴＳをデコーディング（decoding）して所望の放送を視聴するためには復号化機能を有するＳＴＢ１３-１，１３-２，１３-３を利用しなければならない。したがって、ＯＮＵ２２でスイッチングを通じて提供する暗号化方式が異なったＣＡＳ放送を加入者１３が視聴するためには、各々の暗号化方式を復号化しうる多数のＳＴＢ又はマルチ-ＣＡＳ ＳＴＢが必要である。しかし、衛星放送とケーブル放送はその認証方式が違うので、一つのマルチ-ＣＡＳ ＳＴＢで二種の放送を視聴できない。このため、加入者１３は一つ以上のＳＴＢを備える必要がある。特に、このような復号化機能内臓ＳＴＢは高コストなので加入者１３には負担となる。
【００１５】
さらに、ＯＬＴ２１に新たな方式で暗号化されたＭＰＴＳを追加すると、加入者１３のＳＴＢ１３-１，１３-２，１３-３を交替するか、ＳＴＢ１３-１，１３-２，１３-３の復号化プログラムを修正すべき問題点が発生する。
【００１６】
有料放送などの加入者管理を必要とする放送サービスの提供における従来の問題点は、すべての放送データが加入者の各々に伝えられ、これを加入者が受信して利用するということにある。これにより、放送事業者は放送をスクランブルして伝送し、スクランブルして伝送された放送を見るための加入者は逆スクランブル機能を有するＳＴＢを購入しなければならない。このように放送事業者別にスクランブルされた放送を伝送して加入者のＳＴＢを通じて逆スクランブルすることは不合理であり、放送事業者別にスクランブルされた放送を伝送しても、加入者は一つのＳＴＢで放送を受信できるように、伝送網における逆スクランブル動作実行ができれば好ましい。
【発明の開示】
【発明が解決しようとする課題】
【００１７】
本発明は前記問題点を解決するために提案されたものであり、放送事業者別に多様な方式で暗号化された多数のＭＰＴＳを提供し得る放送通信融合システムで、使用者が一つのセットトップボックスのみでシステムの提供するすべてのＭＰＴＳを視聴可能にする、スクランブル化された多数のデジタル放送ストリームに対する複合スクランブル解除装置及び方法とこの装置が適用された光加入者網の提供にその目的がある。より具体的には、光加入者網を用いた放送通信融合システムにおいて、ＯＮＵで加入者別に放送をスイッチングして各々の放送のみを伝えるようにし、従来のようにすべての放送が伝えられることから発生する問題点を解決するものである。
【課題を解決するための手段】
【００１８】
前記目的を達成するため、本発明は、放送通信融合システムでスクランブル化された多数のデジタル放送ストリームを受信して逆スクランブルし、加入者に伝送するための複合スクランブル解除装置として、外部からＭＰＴＳ（Multi-Program Transport Stream）を受信して該ＭＰＴＳのＰＩＤ（Program ID）情報を制御部に伝送する放送受信部と、この放送受信部からＭＰＴＳを受信してスクランブルされたＭＰＴＳとスクランブルされていないＭＰＴＳをスイッチングして出力するスイッチと、このスイッチを通じてスイッチングされたＭＰＴＳのうち、スクランブルされたＭＰＴＳを逆スクランブルして出力する多数の逆スクランブラーと、放送受信部からＰＩＤ情報を受信して逆スクランブルを必要とするＭＰＴＳが逆スクランブラーにスイッチングされるようにスイッチを制御する制御部と、を備えたことを特徴とする複合スクランブル解除装置を提案する。
【００１９】
制御部は、スイッチを制御するために、放送受信部から受信されるＰＩＤ情報と、スイッチに連結された逆スクランブラーのＭＡＣ（Media Access Control）アドレス及びスイッチの該当出力ポートとで構成されたチャンネル／逆スクランブラーテーブルを使用するものとするとよい。また、放送受信部は、外部からＭＰＴＳを受信してスイッチに出力し、該受信されたＭＰＴＳのＰＩＤ情報を抽出して制御部に伝送するものとすることができる。さらに、多数の逆スクランブラーは、受信されたＭＰＴＳのうち、スクランブルされたＭＰＴＳにそれぞれ対応する方式の逆スクランブラーとする。また、スイッチは、制御部の制御に応じて、受信されたＭＰＴＳのうち、スクランブルされたＭＰＴＳをそれぞれ対応する逆スクランブラーに連結し、スクランブルされていないＭＰＴＳは入力順序に応じて出力されるようにスイッチングするものとする。
【００２０】
この他に本発明によれば、放送通信融合システムが適用された光加入者網において、多数の放送事業者から伝えられた各々のＭＰＴＳを受信してＭＰＴＳのスクランブルを解除して伝送する複合スクランブル解除器と、この複合スクランブル解除器から出力されたＭＰＴＳを受信して電／光変換する電／光変換器と、その電／光変換されたＭＰＴＳを一つの光信号に多重化するＷＤＭ（wavelength division multiplex）多重化器と、該多重化された一つの光信号を伝送する光伝送部とを有するＯＬＴ（Optical Line Terminal）、及び、ＯＬＴから伝えられた光信号を波長分割逆多重化して光電変換し、該光電変換されたＭＰＴＳを加入者別にスイッチングするＯＮＵ（Optical Network Unit）を備え、スクランブル化された多数のデジタル放送ストリームに対する複合スクランブル解除機能を適用したことを特徴とする。
【００２１】
その複合スクランブル解除器は、多数の放送事業者から伝えられた各々のＭＰＴＳを受信して該ＭＰＴＳのＰＩＤ情報を抽出する放送受信部と、この放送受信部からＭＰＴＳを受信してスクランブルされたＭＰＴＳとスクランブルされていないＭＰＴＳとをスイッチングして出力するスイッチと、このスイッチを通じてスイッチングされたＭＰＴＳのうち、スクランブルされたＭＰＴＳを逆スクランブルして出力する多数の逆スクランブラーと、放送受信部からＰＩＤ情報を受信して逆スクランブルを必要とするＭＰＴＳが逆スクランブラーにスイッチングされるようにスイッチを制御する制御部と、を備えてＭＰＴＳのスクランブルを解除して伝送するものとする。
【００２２】
この他に本発明によれば、放送通信融合システムが適用された光加入者網において、多数の放送事業者から伝えられた各々のＭＰＴＳを受信して電／光変換し、一つの光信号に多重化して伝送するＯＬＴ、及び、ＯＬＴから伝えられた光信号を波長分割逆多重化するＷＤＭ逆多重化器と、該波長分割逆多重化された光信号をそれぞれ光電変換する光電変換器と、その光電変換されたＭＰＴＳを受信して該ＭＰＴＳのスクランブルを除去して伝送する複合スクランブル解除器と、この複合スクランブル解除器から出力されたＭＰＴＳを受信して加入者別にスイッチングして出力する第１スイッチと、加入者からチャンネル選択情報を受信して第１スイッチの入力ＭＰＴＳの該当チャンネルと該当加入者が連結されるように第１スイッチを制御する第１制御部と、を有するＯＮＵを備え、スクランブル化された多数のデジタル放送ストリームに対する複合スクランブル解除機能を適用したことを特徴とする。
【００２３】
この場合も複合スクランブル解除器は、光電変換器で光電変換されたＭＰＴＳを受信してそのＭＰＴＳのＰＩＤ情報を制御部に伝送する放送受信部と、この放送受信部からＭＰＴＳを受信してスクランブルされたＭＰＴＳとスクランブルされていないＭＰＴＳとをスイッチングして出力する第２スイッチと、第２スイッチを通じてスイッチングされたＭＰＴＳのうち、スクランブルされたＭＰＴＳを逆スクランブルして出力する多数の逆スクランブラーと、放送受信部からＰＩＤ情報を受信して逆スクランブルを必要とするＭＰＴＳが逆スクランブラーにスイッチングされるように第２スイッチを制御する第２制御部と、を備えてＭＰＴＳのスクランブルを解除して伝送するものとする。
【００２４】
この他に本発明によれば、放送通信融合システムでスクランブル化された多数のデジタル放送ストリームを受信して逆スクランブルし、加入者に伝送するための複合スクランブル解除方法として、放送受信部からＰＩＤ情報を受信する制御部を構成する過程と、放送受信部により外部からスクランブルされたＭＰＴＳとスクランブルされていないＭＰＴＳの両方を含む多数のＭＰＴＳを受信する過程と、制御部に各々のＭＰＴＳに対するＰＩＤ情報を伝える過程と、放送受信部からＭＰＴＳを受信してスクランブルされたＭＰＴＳとスクランブルされていないＭＰＴＳとをスイッチを通じてスイッチングする過程と、スイッチングされたＭＰＴＳのうち、スクランブルされたＭＰＴＳを多数の逆スクランブラーを通じて逆スクランブルする過程と、を含み、制御部が、放送受信部からＰＩＤ情報を受信して逆スクランブルを必要とするＭＰＴＳが逆スクランブラーにスイッチングされるようにスイッチを制御することを特徴とする複合スクランブル解除方法を提案する。
【００２５】
制御部は、スイッチを制御するために、放送受信部から受信されたＭＰＴＳのＰＩＤ情報と、スイッチに連結された逆スクランブラーのＭＡＣアドレス及びスイッチの該当出力ポートとで構成されたチャンネル／逆スクランブラーテーブルを使用するものとするとよい。また、放送受信部は、外部からＭＰＴＳを受信してスイッチに出力し、受信されたＭＰＴＳのＰＩＤ情報を抽出して制御部に伝送するものとすることができる。さらに、多数の逆スクランブラーは、受信されたＭＰＴＳのうち、スクランブルされたＭＰＴＳにそれぞれ対応する方式の逆スクランブラーとする。また、スイッチは、制御部の制御に応じて、受信されたＭＰＴＳのうち、スクランブルされたＭＰＴＳをそれぞれ対応する逆スクランブラーに連結し、スクランブルされていないＭＰＴＳは入力順序に応じて出力されるようにスイッチングするものとする。
【発明の効果】
【００２６】
本発明によれば、各種の方式で暗号化された放送を、復号化機能のないセットトップボックスで使用者が視聴できるようにする効果がある。さらに、本発明は、加入者が一つのＳＴＢを用いて多様な放送を視聴できるようにする効果もある。その上、本発明は、暗号化されたＭＰＴＳを光加入者網で復号化して加入者に提供するので、新たなＣＡＳを採択した放送を追加しても光加入者網のみに該当復号器を設けるとよいため、適用が容易である。
【発明を実施するための最良の形態】
【００２７】
以下、添付図面を参照して本発明による好ましい実施形態を詳細に説明する。図面中、同一な構成要素及び部分には、可能な限り同一な符号及び番号を共通使用するものとする。下記説明において、本発明の要旨のみを明瞭するために公知の機能又は構成に対する詳細な説明は省略する。特に、本発明は放送通信融合システムに係るが、通信信号に対する説明及び図面は本発明の要旨に該当しないのでその説明を省略する。
【００２８】
本発明の説明において、暗号化とスクランブル、復号化と逆スクランブルは混用して使用するが、同じ意味として解釈する。
【００２９】
図３は本発明による放送通信融合システムにおける複合スクランブル解除器の一実施例を示した構成図である。図３に示したように、外部からＭＰＴＳを受信して該当ＭＰＴＳのＰＩＤ情報を制御部３３に伝送する放送受信部３１と、放送受信部３１からＭＰＴＳを受信して制御部３３の制御に応じてスイッチングして出力するスイッチ３２と、スイッチ３２を通じて出力されたスクランブルＭＰＴＳを逆スクランブルして出力する多数の逆スクランブラー３４-１，３４-２と、放送受信部３１からＰＩＤ情報を受信して予め貯蔵されたチャンネル／逆スクランブラーテーブルにより、逆スクランブルが必要なＭＰＴＳを該当逆スクランブラーに連結するようにスイッチ３２を制御する制御部３３とを備えている。
【００３０】
より詳しく説明すると、放送受信部３１は、多様な放送事業者からのデジタル放送情報であるＭＰＴＳを受信し、受信されたＭＰＴＳのＰＩＤ情報を抽出して制御部３３に伝送し、ＭＰＴＳはスイッチ３２に出力する。
【００３１】
逆スクランブラー３４-１，３４-２は、スクランブルされているＭＰＴＳを逆スクランブルするためのものであり、放送事業者別に異なる方式を用いてスクランブルされているので放送事業者別にそれぞれの逆スクランブラー３４-１，３４-２を備える。
【００３２】
スイッチ３２は、放送受信部３１からＭＰＴＳを受信して制御部３３の制御信号に応じてＭＰＴＳをスイッチングする。
【００３３】
制御部３３は、放送受信部３１から、入力されたＭＰＴＳのＰＩＤ情報を受信して予め貯蔵されたチャンネル／逆スクランブラーテーブルにより、逆スクランブルが必要なＭＰＴＳを各々のＰＩＤ情報に従う逆スクランブラー３４-１，３４-２に連結するように制御する。逆スクランブルを必要としないＭＰＴＳは順序に応じて出力されるように制御する。
【００３４】
図４は本発明による放送通信融合システムにおける複合スクランブル解除器で使用されるチャンネル／逆スクランブラーテーブルの説明例示図である。
【００３５】
図４に示したように、入力ＭＰＴＳのＰＩＤ情報が有料チャンネル１（Pay Channel 1）、有料チャンネル２（Pay Channel 2）、…に分けられ、そのそれぞれに対し、スイッチ３２に連結された逆スクランブラー３４-１，３４-２のＭＡＣ（Media Access Control）アドレス（Mac Address of Descrambler）とスイッチの出力ポート（Output Port of Switch）のテーブルを形成して、入力されるＭＰＴＳのＰＩＤ情報に応じて該当する逆スクランブラーのＭＡＣアドレスと該当するスイッチの出力ポートに該当ＭＰＴＳがスイッチングされるようにする。
【００３６】
このように構成されたスクランブル解除器を用いると、多様な方式でスクランブルされたＭＰＴＳを一挙に逆スクランブルして出力することができる。
【００３７】
以上のような複合スクランブル解除器は、本発明が適用される放送通信融合システムでＯＬＴ又はＯＮＵに搭載され得るが、その各々の実施例は図５及び図６に示した通りである。
【００３８】
図５は本発明による複合スクランブル解除器を放送通信融合システムのＯＬＴに適用した場合の一実施例を示した構成図である。図５に示したように本発明を適用した放送通信融合システムのＯＬＴは、放送事業者１１-１，１１-２から伝えられた各々のＭＰＴＳを受信し、該ＭＰＴＳのスクランブルを解除して伝送する複合スクランブル解除器１００と、スクランブルが解除されたＭＰＴＳを受信して電／光変換する電／光変換器５１と、電／光変換されたＭＰＴＳを一つの光信号に多重化するＷＤＭ多重化器５２と、多重化された一つの光信号を伝送する光伝送部５３とを備えてなる。
【００３９】
図６は本発明による複合スクランブル解除器を放送通信融合システムのＯＮＵに適用した場合の一実施例を示した構成図である。図６に示したように本発明を適用した放送通信融合システムのＯＮＵは、光信号を受信するための光受信部６１と、受信された光信号を各々の波長別に逆多重化するＷＤＭ逆多重化器６２と、波長別のＭＰＴＳ光信号を光／電変換する光／電変換器６３と、電気信号化されたＭＰＴＳを受信してＭＰＴＳのスクランブルを除去して伝送する複合スクランブル解除器１００と、スクランブルが除去されたＭＰＴＳを受信してＰＩＤを抽出し、制御部６５の制御に応じて加入者別にＭＰＴＳをスイッチングするスイッチング部６４と、加入者のチャンネル選択情報を受信してスイッチング部６４を制御する制御部６５とを備えている。
【００４０】
図５の構成を用いた放送通信融合システムの全体動作を説明すると、複合スクランブル解除器１００の放送受信部３１は多数の放送事業者１１-１，１１-２から暗号化されてスクランブル処理されたＭＰＴＳストリームを含む多数のＭＰＴＳを得る。そして、制御部３３とスイッチ３２及び逆スクランブラー３４-１，３４-２を通じてスクランブルＭＰＴＳ信号をそれぞれ逆スクランブルした後、電光変換（５１）及び波長分割多重化（５２）して一つの光信号としてＯＮＵに伝送する。
【００４１】
ＯＮＵに伝送された一つの光信号は再度波長分割逆多重化されて各々の波長別ＭＰＴＳ信号に分けられる。さらに、各々のＭＰＴＳ信号は光／電変換されてスイッチング部に入力され、制御部の制御に応じて加入者の所望のＭＰＴＳ信号と加入者を連結するようにスイッチングされる。
【００４２】
これは本発明の複合スクランブル解除器がＯＬＴに含まれた場合の全体動作を説明したものであり、ＯＮＵに含まれる場合も類似方式で処理される。
【００４３】
以上、本発明の詳細について具体的な実施形態に基づいて説明してきたが、本発明の範囲を逸脱しない限り、各種の変形が可能なのは明らかである。従って、本発明の範囲は、上記実施形態に限られるものでなく、特許請求の範囲のみならず、その範囲と均等なものにより定められるべきである。
【図面の簡単な説明】
【００４４】
【図１】従来の技術によるケーブルＴＶ網の構成図。
【図２】従来のＣＡＳが適用された光加入者網を用いた放送通信融合システムの構成図。
【図３】本発明による放送通信融合システムにおける複合スクランブル解除器の一実施例構成図。
【図４】本発明による放送通信融合システムにおける複合スクランブル解除器で使用されるチャンネル／逆スクランブラーテーブルの説明例示図。
【図５】本発明による複合スクランブル解除器を放送通信融合システムのＯＬＴに適用した場合の一実施例構成図。
【図６】本発明による複合スクランブル解除器を放送通信融合システムのＯＮＵに適用した場合の一実施例構成図。
【符号の説明】
【００４５】
３１  放送受信部（Broadcasting Receiving Unit）
３２  スイッチ（Switch）
３３  制御部（Contlrol Unit）
３４  逆スクランブラー（Descrambler）
１００  複合スクランブル解除器（Complex Scramble Release Device）
【図１】
2004350274.tif 000003
【図２】
2004350274.tif 000004
【図３】
2004350274.tif 000005
【図４】
2004350274.tif 000006
【図５】
2004350274.tif 000007
【図６】
2004350274.tif 000008